【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
加圧気体を用いてチューブレスタイヤをリム上に着座させるための工具において：
入力ポートを有する円筒圧力容器であって、前記入力ポートは、前記円筒圧力容器を前記加圧気体で充填するために好適である、円筒圧力容器と；
前記円筒圧力容器の遠端上の出口に空気的に連結されたノズルであって、前記ノズルは、前記加圧気体をリムとタイヤビードとの間に吹き込むように構成されている、ノズルと；
前記円筒圧力容器の前記遠端上の前記出口からの前記加圧気体の流れを制御するように構成されたガスバルブと；
前記円筒圧力容器から径方向に延在するピストルグリップと；
前記ピストルグリップの１５センチメートル（ｃｍ）以内の位置に配置された解放コントロールと；を備え、
前記ガスバルブは、前記解放コントロールの作動に応答して開くように構成され、前記加圧気体が前記円筒圧力容器の前記遠端上の前記出口を通じて前記ノズルから出るように流れることを可能にすることを特徴とする工具。
【請求項２】
請求項１に記載の工具において、前記円筒圧力容器は、６．１リットル未満の内部容積を有し；
前記ガスバルブは、前記円筒圧力容器の内側に配置されていることを特徴とする工具。
【請求項３】
請求項１に記載の工具において、前記ピストルグリップは、図案化ピストルグリップであり、前記解放コントロールは、前記図案化ピストルグリップのトリガ位置に配置されるとともにユーザの人差し指により操作されるように構成されたトリガであり、前記工具は、さらに：
トリガガードであって、前記トリガは、前記図案化ピストルグリップと前記トリガガードとの間に構成されている、トリガガード；を備えることを特徴とする工具。
【請求項４】
請求項１に記載の工具において、さらに：
前記円筒圧力容器の前記遠端上の前記出口を前記ノズルに空気的に連結するチューブであって、前記チューブは、少なくとも３０ｃｍの長さを有する、チューブと；
前記チューブから径方向に延在するハンドルと；を備えることを特徴とする工具。
【請求項５】
請求項１に記載の工具において、前記ガスバルブは：
前記円筒圧力容器の内側に固定的に位置決めされた１つの閉端を有するシリンダと；
前記シリンダに嵌合するように成形されたピストンであって、前記ピストンは、前記シリンダにおいて位置決めされるとともに前記円筒圧力容器の前記遠端上の前記出口の出口面積よりも大きい断面積を有し、前記ピストンは、前記シリンダにおいて往復摺動可能であり、前記シリンダにおける前記シリンダの前記閉端と前記ピストンとの間に制御レザーバが形成され、前記制御レザーバの容積は、前記シリンダにおける前記ピストンの位置に依存する、ピストンと；
前記制御レザーバを制御気体で制御圧力まで充填するための、ピストンリングにおける少なくとも１つの間隙と；
入力および出口を有する解放バルブであって、前記解放バルブの前記入力は、前記制御レザーバに空気的に連結され、前記解放バルブは、前記解放コントロールの作動により開かれるように位置決めされている、解放バルブと；を備え、
前記制御レザーバの前記制御圧力が解放圧力よりも大きければ、前記ピストンは、前記円筒圧力容器の前記遠端上の前記出口に対して着座し、前記加圧気体が円筒圧力容器から出ることを妨げ、前記解放圧力は、前記円筒圧力容器における前記加圧気体の一次圧力と、前記出口面積と前記ピストンの前記断面積との間の面積差とに依存し；
前記解放コントロールは、作動されると、前記解放バルブを開くように構成され、前記制御レザーバにおける前記制御気体が前記解放バルブの前記出口を通じて逃げることを可能にし、前記制御レザーバに残る前記制御気体の前記制御圧力が前記解放圧力を下回るように降下することを可能にし、その結果、前記ピストンが前記円筒圧力容器の前記遠端上の前記出口から離れるように前記シリンダ内に速やかに摺動し、前記円筒圧力容器における前記加圧気体が前記円筒圧力容器の前記遠端上の前記出口を通じて前記ノズルから外に流れることを可能にすることを特徴とする工具。
【請求項６】
請求項５に記載の工具において、前記ピストンはピストンリングを含み、前記ピストンリングは、前記シリンダの内壁と緊密に係合した状態で前記ピストンの外側に位置決めされ；
前記ピストンリングにおける少なくとも１つの間隙は、前記加圧気体が円筒圧力容器から前記少なくとも１つの間隙を通じて前記制御レザーバ内に流れることを可能にすることを特徴とする工具。
【請求項７】
請求項５に記載の工具において、前記ピストンリングにおける少なくとも１つの間隙は：
前記シリンダの前記内壁と前記ピストンとの間の空間を前記加圧気体が通ることを可能にすることを特徴とする工具。
【請求項８】
請求項５に記載の工具において、前記ピストンリングにおける少なくとも１つの間隙は：
前記シリンダにおける穴であって、前記加圧気体が円筒圧力容器から前記穴を通じて前記制御レザーバ内に流れることを可能にする、穴を前記加圧気体が通ることを可能にすることを特徴とする工具。
【請求項９】
請求項５に記載の工具において、前記解放バルブはポペットバルブであることを特徴とする工具。
【請求項１０】
請求項５に記載の工具において、前記ピストンはポリアセタール重合体で構成されていることを特徴とする工具。
【請求項１１】
請求項５に記載の工具において、さらに：
前記シリンダの前記閉端と前記ピストンとの間に位置決めされた圧縮バネであって、前記圧縮バネは、前記ピストンを前記円筒圧力容器の前記遠端上の前記出口に対して着座させることを助けるため、前記ピストンに力を提供するように構成されている、圧縮バネ；を備えることを特徴とする工具。
【請求項１２】
請求項１に記載の工具において、前記ノズルは：
前記円筒圧力容器の前記遠端上の前記出口を通じて流れる前記加圧気体を受け入れるとともにオリフィスを通じて第１の気体ストリームを放出するように構成されたジェットと；
第２の気体ストリームを前記リムと前記タイヤビードとの間の間隙内に方向付けるために好適なノズル出口と；
前記ノズル出口から前記ノズル内に延在するチャンバであって、前記第１の気体ストリームが前記チャンバに進入することを可能にするように配置されており、前記チャンバは、前記第１の気体ストリームが前記チャンバに進入する付近の点における断面積が前記オリフィスよりも大きく、前記断面積は、前記第１の気体ストリームが前記オリフィスから放出される際の前記第１の気体ストリームの流れの方向に対して実質的に垂直な方向に測定されたものである、チャンバと；
前記気体ストリームが前記オリフィスから前記チャンバを通じて前記ノズル出口から外に流れていれば、前記ノズルの外側からの空気が前記チャンバに進入するとともに前記ノズル出口から放出されることを可能にするように配置された少なくとも１つの吸気ポートと；を備え、
前記第２の気体ストリームは、前記第１の気体ストリームと前記ノズルの外側からの前記空気とを含むことを特徴とする工具。
【請求項１３】
請求項１２に記載の工具において、さらに：
前記ノズルの前記ノズル出口付近に取り付けられたリムブラケット；を備え、
前記リムブラケットは、前記ノズルがタイヤ内に空気を吹き込むためにタイヤリムと前記前記タイヤリム上に装着された前記タイヤとの間に位置決めされれば、前記タイヤリムのリップ上に引っ掛かるように構成されていることを特徴とする工具。
【請求項１４】
請求項１２に記載の工具において、前記少なくとも１つの吸気ポートの組み合わされた面積は、少なくとも前記オリフィスと同じくらいの大きさであることを特徴とする工具。
【請求項１５】
請求項１に記載の工具において、前記ノズルを通じて流れる前記気体に応答して、Ｖｅｎｔｕｒｉ効果により前記円筒圧力容器から来ていない空気が前記タイヤに進入することを特徴とする工具。
【請求項１６】
チューブレスタイヤをリム上に着座させるための方法において：
円筒圧力容器を加圧気体で一次圧力まで充填するステップと；
手を用いて前記円筒圧力容器から径方向に延在するグリップを保持することにより前記円筒圧力容器を保持することで、ノズルを前記リム上の前記チューブレスタイヤに向けて位置決めするステップであって、前記ノズルは、前記円筒圧力容器の遠端上の出口に空気的に連結されている、ステップと；
ノズル出口が前記リムと前記リム上に装着された前記タイヤとの間に位置決めされた状態で前記ノズル上のリムブラケットを前記リムのリップに対して位置決めするステップと；
前記グリップを保持する前記手の指を用いて解放コントロールを作動させてガスバルブを開くことで、前記円筒圧力容器における前記加圧気体が前記円筒圧力容器の前記遠端上の前記出口を通じて前記ノズルに流れ、前記ノズル出口から外に出て気体ストリームを形成することを可能にするステップであって、前記気体ストリームは、前記リムの前記リップと前記タイヤ上のビードとの間から前記タイヤ内に流れ、前記タイヤの前記ビードを前記リムに対して着座させる、ステップと；を含むことを特徴とする方法。
【請求項１７】
請求項１６に記載の方法において、さらに：
制御レザーバを前記加圧気体で制御圧力まで充填してピストンを前記円筒圧力容器の前記遠端上の前記出口に対して摺動させることで、前記加圧気体が前記円筒圧力容器の前記遠端上の前記出口を通じて流れることを妨げるステップであって、前記制御レザーバは、シリンダにおける前記シリンダにおいて摺動するように位置決めされた前記ピストンと前記シリンダの閉端との間に形成され、前記シリンダは、前記円筒圧力容器の内側に固定的に位置決めされている、ステップ；を含み、
前記解放コントロールを作動させてガスバルブを開く前記ステップは：
前記加圧気体を前記制御レザーバから前記解放コントロールを作動させることにより開かれる解放バルブを通じて解放することで、前記制御圧力が解放圧力を下回るように降下することを可能にするステップであって、前記解放圧力は、前記一次圧力と、前記円筒圧力容器の前記遠端上の前記出口の面積と前記ピストンの断面積との間の面積差とに基づく、ステップと；
前記制御圧力が前記解放圧力を下回るように降下すれば前記ピストンを前記一次出口から離れるように摺動させることで、前記円筒圧力容器における前記加圧気体が前記円筒圧力容器の前記遠端上の前記出口を通じて流れることを可能にするステップと；を含むことを特徴とする方法。
【請求項１８】
請求項１７に記載の方法において、前記制御レザーバを充填する前記ステップは：
前記一次気体を円筒圧力容器からピストンリングにおける間隙を通じて前記制御レザーバ内に提供するステップであって、前記ピストンリングは、前記ピストンの外側に前記シリンダの内壁と緊密に係合するように位置決めされている、ステップ；を含むことを特徴とする方法。
【請求項１９】
請求項１７に記載の方法において、前記制御レザーバを充填する前記ステップは：
前記一次気体を円筒圧力容器から前記シリンダにおける小さい穴を通じて前記制御レザーバ内に提供するステップ；を含むことを特徴とする方法。
【請求項２０】
請求項１６に記載の方法において、さらに：
前記加圧気体を前記ノズル内のオリフィスに提供することで前記オリフィスから放出される気体ジェットを形成するステップであって、前記気体ジェットは、前記ノズル内のチャンバに進入するとともに前記ノズルの外側から少なくとも１つの吸気ポートを通じて空気を引き込む、ステップ；を含み、
前記ノズル出口から放出される前記気体ストリームの少なくとも一部は、前記少なくとも１つの吸気ポートから来ていることを特徴とする方法。